(57)【要約】【課題】耐水性の記録面を有する記録媒体への浸透速度が大きく、しかも臭気が抑制されたインクジェット記録用油性インク組成物を提供すること。【解決手段】本発明にかかるインクジェット記録用油性インク組成物は、コート紙、アート紙、およびキャストコート紙から選択される１種の記録媒体上にインクジェット記録装置を用いて画像を記録するための油性インク組成物であって、少なくとも色材と、分散剤と、下記一般式（１）で示される芳香族化合物と、を含有する。【化４】2009227757.tif 000006（式中、ｎは自然数であり、ｍは０以上の整数であり、ｎ＋ｍは、８≦ｎ＋ｍ≦１８の関係を満たす。）【選択図】なし【特許請求の範囲】
【請求項１】
コート紙、アート紙、およびキャストコート紙から選択される１種の記録媒体上にインクジェット記録装置を用いて画像を記録するための油性インク組成物であって、
少なくとも色材と、分散剤と、下記一般式（１）で示される芳香族化合物と、を含有する、インクジェット記録用油性インク組成物。
【化１】
2009227757.tif 000005
（式中、ｎは自然数であり、ｍは０以上の整数であり、ｎ＋ｍは、８≦ｎ＋ｍ≦１８の関係を満たす。）
【請求項２】
請求項１において、
前記芳香族化合物は、ドデシルベンゼンおよび２−エチルヘキシルベンゼンから選択される少なくとも１種である、インクジェット記録用油性インク組成物。
【請求項３】
請求項１または請求項２において、
前記分散剤は、ポリエステル樹脂およびアルキッド樹脂から選択される少なくとも１種である、インクジェット記録用油性インク組成物。
【請求項４】
請求項１ないし請求項３のいずれか１項において、
さらに、界面活性剤を含む、インクジェット記録用油性インク組成物。
【請求項５】
請求項１ないし請求項４のいずれか１項において、
さらに、有機溶剤を含む、インクジェット記録用油性インク組成物。
【請求項６】
請求項１ないし請求項５のいずれか１項に記載のインクジェット記録用油性インク組成物を備えた、インクジェット記録用インクセット。
【請求項７】
請求項６に記載されたインクジェット記録用インクセットを備えた、インクカートリッジ。
【請求項８】
インクジェット記録装置を用いて、請求項１ないし請求項５のいずれか１項に記載のインクジェット記録用油性インク組成物を記録媒体上に吐出して塗膜を形成する、インクジェット記録方法。
【請求項９】
請求項８に記載のインクジェット記録方法により、記録媒体の記録面に画像が形成されてなる、記録物。
【請求項１０】
請求項９において、
前記記録媒体は、前記記録面にインク受容層を有する、記録物。
【発明の詳細な説明】
【技術分野】
【０００１】
本発明は、インクジェット記録用油性インク組成物、インクジェット記録用インクセット、インクカートリッジ、インクジェット記録方法、および記録物に関する。
【背景技術】
【０００２】
インクジェット記録方法は、インク組成物の小滴を飛翔させ、紙等の記録媒体に付着させて印刷を行う印刷方法である。この記録方法は、高解像度、高品位な画像を高速で印刷することができるという特徴を有する。インクジェット記録方法に使用されるインク組成物は、溶媒に着色成分や、分散安定剤などを配合したものが主流である。
【０００３】
インクジェット記録方法に用いられるインクには、主溶媒として水を用いる水性インクと、主溶媒として有機溶媒を用いる油性インクとがある。水性インクを用いた印刷画像はは、一般的に耐水性に劣る。これに対して、油性インクは、耐水性に優れた印刷画像を提供することができる。一般に、耐水性に優れた印刷画像をインクジェット記録方法にて製造する場合には、耐水性の記録面を有する記録媒体に、油性インクを塗布して行われる（たとえば、特開２００８−００１８５３号公報参照）。
【０００４】
ところが、耐水性を有する記録面に対して、インクジェット記録方法によって印刷を行う場合、水性インクはもちろん、従来の油性インクを用いて印刷しても、記録面へのインク滴の吸収速度が小さかった。特に、コート紙、アート紙およびキャストコート紙と呼ばれる記録媒体に対しては、インクのしみ込みが遅く印刷速度を高めることが難しかった。また、従来の油性インクは、臭気が強かった。
【特許文献１】特開２００８−００１８５３号公報
【発明の開示】
【発明が解決しようとする課題】
【０００５】
本発明の目的の１つは、耐水性の記録面を有する記録媒体への浸透速度が大きく、しかも臭気が抑制されたインクジェット記録用油性インク組成物、インクセット、インクカートリッジ、これを用いたインクジェット記録方法、および記録物を提供することである。
【課題を解決するための手段】
【０００６】
本発明にかかるインクジェット記録用油性インク組成物は、
コート紙、アート紙、およびキャストコート紙から選択される１種の記録媒体上にインクジェット記録装置を用いて画像を記録するための油性インク組成物であって、
少なくとも色材と、分散剤と、下記一般式（１）で示される芳香族化合物と、を含有する。
【０００７】
【化２】
2009227757.tif 000002
【０００８】
（式中、ｎは自然数であり、ｍは０以上の整数であり、ｎ＋ｍは、８≦ｎ＋ｍ≦１８の関係を満たす。）
このようなインクジェット記録用油性インク組成物は、耐水性の記録面を有する記録媒体への浸透速度が大きく、しかも臭気が抑制されたものである。
【０００９】
本発明にかかるインクジェット記録用油性インク組成物において、
前記芳香族化合物は、ドデシルベンゼンおよび２−エチルヘキシルベンゼンから選択される少なくとも１種であることができる。
【００１０】
本発明にかかるインクジェット記録用油性インク組成物において、
前記分散剤は、ポリエステル樹脂およびアルキッド樹脂から選択される少なくとも１種であることができる。
【００１１】
本発明にかかるインクジェット記録用油性インク組成物において、
さらに、界面活性剤を含むことができる。
【００１２】
本発明にかかるインクジェット記録用油性インク組成物において、
さらに、有機溶剤を含むことができる。
【００１３】
本発明にかかるインクジェット記録用インクセットは、
上述のインクジェット記録用油性インク組成物を備えている。
【００１４】
本発明にかかるインクカートリッジは、
上述のインクジェット記録用インクセットを備えている。
【００１５】
本発明にかかるインクジェット記録方法は、インクジェット記録装置を用いて、上述のインクジェット記録用油性インク組成物を記録媒体上に吐出して塗膜を形成するものである。
【００１６】
本発明にかかる記録物は、
上述のインクジェット記録方法により、記録媒体の記録面に画像が形成されてなる。
【００１７】
本発明にかかる記録物において、
前記記録媒体は、前記記録面にインク受容層を有することができる。
【発明を実施するための最良の形態】
【００１８】
以下、本発明の好適な実施形態について、詳細に説明する。
【００１９】
１．インクジェット記録用油性インク組成物
本実施形態にかかるインクジェット記録用油性インク組成物は、コート紙、アート紙、およびキャストコート紙から選択される１種の記録媒体上にインクジェット記録装置を用いて画像を記録するための油性インク組成物であって、少なくとも色材と、分散剤と、下記一般式（１）で示される芳香族化合物と、を含有する。
【００２０】
【化３】
2009227757.tif 000003
【００２１】
（式中、ｎは自然数であり、ｍは０以上の整数であり、ｎ＋ｍは、８≦ｎ＋ｍ≦１８の関係を満たす。）
１．１．記録媒体
本実施形態にかかるインクジェット記録用油性インク組成物は、コート紙、アート紙、およびキャストコート紙から選択される１種の記録媒体上にインクジェット記録装置を用いて塗布される。
【００２２】
コート紙の例としては、たとえば、上質紙または中質紙をベースに少なくとも片面に７ｇ／ｍ２ないし２０ｇ／ｍ２の白色の塗料を塗布したものを挙げることができる。これらは、上質コート紙または中質コート紙などと呼ばれることがある。また、コート紙の種類としては、白色塗料の塗工量の小さい（たとえば、片面あたり７ｇ／ｍ２程度）軽量コート紙や光沢を抑えたマットコート紙、表面光沢の高いミラーコート紙などを挙げることができる。
【００２３】
アート紙の例としては、たとえば、上質紙に白色の塗料が片面あたり２０ｇ／ｍ２程度塗工され、ロール等によって、高圧が加えられ表面が滑らかになっている紙を挙げることができる。本実施形態では、アート紙には、つや消しアート紙、上質アート紙、並アート紙などが含まれる。キャストコート紙の例としては、たとえば、上質紙に白色の塗料が片面あたり少なくとも２２ｇ／ｍ２塗工され、ロール等によって、高圧が加えられ表面が滑らかになっている紙を挙げることができる。
【００２４】
上述した記録媒体は、グロス系、マット系、ダル系のいずれであってもよい。本実施形態のインクジェット記録用油性インク組成物が塗布される上述の記録媒体は、記録面に白色の塗料などのインク受容層を有する。パールコート紙（三菱製紙株式会社から入手可能。）や、オーロラコート紙（日本製紙株式会社から入手可能。）などの商品名で市販されている紙は、本実施形態で用いられる記録媒体に該当する。
【００２５】
１．２．色材
本実施形態にかかるインクジェット記録用油性インク組成物に用いられる色材は、染料または顔料のいずれであってもよい。
【００２６】
本実施形態において使用可能な染料としては、直接染料、酸性染料、食用染料、塩基性染料、反応性染料、分散染料、建染染料、可溶性建染染料、などの通常のインクジェット記録に使用される各種染料を挙げることができる。
【００２７】
本実施形態において使用可能な顔料としては、特別な制限はなく、無機顔料、有機顔料を挙げることができる。無機顔料としては、酸化チタン、および酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（たとえば、フタロシアニン顔料、ペリレン顔料、ペリノン顔料、アントラキノン顔料、キノフラロン顔料など）、染料キレート（たとえば、塩基性染料型キレート、酸性染料型キレートなど）、ニトロ顔料、ニトロソ顔料、アニリンブラックなどを使用することができる。
【００２８】
本実施形態で使用可能な顔料の具体例のうち、カーボンブラックとしては、Ｃ．Ｉ．ピグメントブラック７が挙げられ、たとえば、三菱化学株式会社から入手可能なＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビアケミカルカンパニー社から入手可能なＲａｖｅｎ５７５０、同５２５０、同５０００、同３５００、同１２５５、同７００等が、また、キャボット社から入手可能なＲｅｇａｌ４００Ｒ、同３３０Ｒ、同６６０Ｒ、ＭｏｇｕｌＬ、同７００、Ｍｏｎａｒｃｈ８００、同８８０、同９００、同１０００、同１１００、同１３００、同１４００等が、さらに、デグッサ社から入手可能なＣｏｌｏｒＢｌａｃｋＦＷ１、同ＦＷ２、同ＦＷ２Ｖ、同ＦＷ１８、同ＦＷ２００、ＣｏｌｏｒＢｌａｃｋＳ１５０、同Ｓ１６０、同Ｓ１７０、Ｐｒｉｎｔｅｘ３５、同Ｕ、同Ｖ、同１４０Ｕ、ＳｐｅｃｉａｌＢｌａｃｋ６、同５、同４Ａ、同４等が挙げられる。
【００２９】
また、本実施形態にかかるインクジェット記録用油性インク組成物をイエローインクとする場合に使用しうる顔料としては、たとえば、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。
【００３０】
また、本実施形態にかかるインクジェット記録用油性インク組成物をマゼンダインクとする場合に使用される顔料としては、たとえば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントバイオレット１９等が挙げられる。
【００３１】
また、また、本実施形態にかかるインクジェット記録用油性インク組成物をシアンインクとする場合に使用される顔料としては、たとえば、Ｃ．Ｉ．ピグメントブルー１、２、３、１５：３、１５：４、６０、１６、２２が挙げられる。本実施形態にかかるインクジェット記録用油性インク組成物をシアンインクとする場合に使用される顔料としては、より具体的には、商品名ＴＧＲ−ＳＤ（大日本インキ化学工業株式会社から入手可能。）などの市販品が例示できる。
【００３２】
本実施形態で使用可能な顔料の平均粒子径は、好ましくは１０ｎｍないし２００ｎｍの範囲であり、より好ましくは５０ｎｍないし１５０ｎｍの範囲である。
【００３３】
本実施形態のインクジェット記録用油性インク組成物に添加しうる顔料の添加量は、好ましくは０．１質量％ないし２５質量％であり、より好ましくは０．５質量％ないし１５質量％である。
【００３４】
さらに、本実施形態にかかるインクジェット記録用油性インク組成物は、複数の色材を混合して作製することができる。インクジェット記録用油性インク組成物に使用可能な色材としては、例えば、上記のイエロー、マゼンタおよびシアンの顔料を挙げることができる。ここで、たとえば、イエロー、マゼンタおよびシアンから選択される２種の顔料を適量混合してもよいが、印刷結果におけるブラックの色調をより高めるために、イエロー、マゼンタ、シアンの３色の顔料を混合して配合することもできる。また、上記のイエロー、マゼンタ、シアンの３色の顔料のほかに、ライトマゼンタ、ライトシアン等の同系列の淡色顔料を加えることもできる。
【００３５】
１．３．分散剤
本実施形態のインクジェット記録用油性インク組成物は、分散剤を含む。本実施形態のインクジェット記録用油性インク組成物において、分散剤は、主に色材の良好な分散を得るために含有される。本実施形態のインクジェット記録用油性インク組成物に用いられる分散剤としては、一般的な油性インクに用いられる任意の分散剤を用いることができる。本実施形態のインクジェット記録用油性インク組成物に用いられる分散剤の好ましい例としては、ポリエステル系高分子化合物や、アルキッド系高分子化合物が挙げられる。具体例としては、武生ファインケミカル株式会社から入手可能なヒノアクトＫＦ１−Ｍ，Ｔ−６０００，Ｔ−７０００，Ｔ−８０００，Ｔ−８３５０Ｐ，Ｔ−８０００Ｅ、アビシア株式会社から入手可能なソルスパース２００００，２４０００，３２０００，３２５００，３３５００，３４０００，３５２００、ビック・ケミー株式会社から入手可能なＤＩＳＰＥＲＢＹＫ−１６１，１６２，１６３，１６４，１６６，１８０，１９０，１９１，１９２、共栄社化学株式会社から入手可能なフローレンＤＯＰＡ−１７，２２，３３，Ｇ−７００、味の素株式会社から入手可能なアジスパーＰＢ８２１，ＰＢ７１１、ＥＦＫＡケミカルズ社から入手可能なＬＰ４０１０，ＬＰ４０５０，ＬＰ４０５５，ＰＯＬＹＭＥＲ４００，４０１，４０２，４０３，４５０，４５１，４５３を挙げることができる。
【００３６】
本実施形態のインクジェット記録用油性インク組成物において、分散剤の含有量は、分散すべき色材の量や性質によって適宜せんたくすることができる。分散剤の含有量は、本実施形態のインクジェット記録用油性インク組成物中の色材（特には顔料）１００重量部に対して、好ましくは５ないし２００重量部、より好ましくは３０ないし１２０重量部である。
【００３７】
１．４．芳香族化合物
本実施形態のインクジェット記録用油性インク組成物に含まれる芳香族化合物は、前記一般式（１）で示される。
【００３８】
本実施形態の芳香族化合物は、ベンゼン環にアルキル基が１個または２個結合した化合物である。ベンゼン環にアルキル基が２個結合した化合物の場合は、１つのアルキル基に対して、もう１つのアルキル基は、オルト位（ｏ−）、メタ位（ｍ−）、およびパラ位（ｐ−）のいずれに結合していてもよい。すなわち、一般式（１）の−ＣｍＨ２ｍ＋１で示される基は、−ＣｎＨ２ｎ＋１で示される基に対して、オルト位（ｏ−）、メタ位（ｍ−）、およびパラ位（ｐ−）のいずれの位置に結合していてもよい。本実施形態の芳香族化合物のアルキル基が有する炭素数の合計は、前記括弧書きで述べたように、８ないし１８である。本実施形態の芳香族化合物に結合可能なアルキル基は、炭素数１ないし炭素数１８までのアルキル基であり、炭素数３以上のアルキル基については、その異性体の基を含む。具体的には、炭素数１のメチル基、炭素数２のエチル基、炭素数３の１−プロピル基、その異性体である２−プロピル基を含み、さらには、炭素数４の１−ｎ−ブチル基、その異性体である２−ｎ−ブチル基、イソブチル基、ｔｅｒｔ−イソブチル基が含まれ、これに続き、炭素数５ないし炭素数１８のアルキル基についても各異性体の基が含まれる。
【００３９】
本実施形態の芳香族化合物の具体例としては、ｍが０である場合は、オクタデシルベンゼン（１−フェニルオクタデカン）、２−オクタデシルベンゼン（２−フェニルオクタデカン）、ヘキサデシルベンゼン（１−フェニルヘキサデカン）（セチルベンゼン）、テトラデシルベンゼン（１−フェニルテトラデカン）、ドデシルベンゼン（１−フェニルドデカン）、２−ドデシルベンゼン（２−フェニルドデカン）、２−エチルデシルベンゼン、デシルベンゼン（１−フェニルデカン）、オクチルベンゼン（１−フェニルオクタン）、２−オクチルベンゼン（２−フェニルオクタン）、２−エチルヘキシルベンゼン（３−エチル−１−フェニルヘキサン）など、ｍが１である場合は、ｏ−メチルヘキサデシルベンゼン、ｍ−メチルヘキサデシルベンゼン、ｐ−メチルヘキサデシルベンゼン、ｏ−メチルドデシルベンゼン、ｍ−メチルドデシルベンゼン、ｐ−メチルドデシルベンゼン、ｏ−メチルヘプチルベンゼン、ｍ−メチルヘプチルベンゼン、ｐ−メチルヘプチルベンゼンなど、ｍが２である場合は、ｏ−エチルヘキサデシルベンゼン、ｍ−エチルヘキサデシルベンゼン、ｐ−エチルヘキサデシルベンゼン、ｏ−エチルドデシルベンゼン、ｍ−エチルドデシルベンゼン、ｐ−エチルドデシルベンゼン、ｏ−エチルヘキシルベンゼン、ｍ−エチルヘキシルベンゼン、ｐ−エチルヘキシルベンゼンなど、ｍが３である場合は、ｏ−プロピルテトラデシルベンゼン、ｍ−プロピルテトラデシルベンゼン、ｐ−プロピルテトラデシルベンゼン、ｏ−プロピルドデシルベンゼン、ｍ−プロピルドデシルベンゼン、ｐ−プロピルドデシルベンゼン、ｏ−プロピルペンチルベンゼン、ｍ−プロピルペンチルベンゼン、ｐ−プロピルペンチルベンゼンなど、ｍが４である場合は、ｏ−ブチルテトラデシルベンゼン、ｍ−ブチルテトラデシルベンゼン、ｐ−ブチルテトラデシルベンゼン、ｏ−ブチルドデシルベンゼン、ｍ−ブチルドデシルベンゼン、ｐ−ブチルドデシルベンゼン、ｏ−ジブチルベンゼン、ｍ−ジブチルベンゼン、ｐ−ジブチルベンゼンなど、ｍが５である場合は、ｏ−ペンチルドデシルベンゼン、ｍ−ペンチルドデシルベンゼン、ｐ−ペンチルドデシルベンゼン、ｏ−ジペンチルベンゼン、ｍ−ジペンチルベンゼン、ｐ−ジペンチルベンゼンなど、ｍが６である場合は、ｏ−ヘキシルドデシルベンゼン、ｍ−ヘキシルドデシルベンゼン、ｐ−ヘキシルドデシルベンゼン、ｏ−ジヘキシルベンゼン、ｍ−ジヘキシルベンゼン、ｐ−ジヘキシルベンゼンなど、ｍが７である場合は、ｏ−ヘプチルデシルベンゼン、ｍ−ヘプチルデシルベンゼン、ｐ−ヘプチルデシルベンゼン、ｏ−ジヘプチルベンゼン、ｍ−ジヘプチルベンゼン、ｐ−ジヘプチルベンゼンなど、ｍが８の場合は、ｏ−オクチルデシルベンゼン、ｍ−オクチルデシルベンゼン、ｐ−オクチルデシルベンゼン、ｏ−ジオクチルベンゼン、ｍ−ジオクチルベンゼン、ｐ−ジオクチルベンゼンなど、ｍが９である場合は、ｏ−ジノニルベンゼン、ｍ−ジノニルベンゼン、ｐ−ジノニルベンゼンなど、を挙げることができる。
【００４０】
本実施形態のインクジェット記録用油性インク組成物に含まれる芳香族化合物は、上述した芳香族化合物から選ばれる少なくとも２種の化合物の混合物であってもよい。なお、本実施形態のインクジェット記録用油性インク組成物に含まれる芳香族化合物は、常温常圧下で液体であることが望ましいが、インクジェット記録方法において、加熱等を行うことで芳香族化合物の融点よりも高い温度で使用することができるため、および、他の化合物を混合することにより凝固点を降下させることができるため、常温常圧下で固体の芳香族化合物を含んでいてもよい。
【００４１】
本実施形態のインクジェット記録用油性インク組成物において、芳香族化合物の含有量は、好ましくは、５０質量％ないし９９．９質量％、より好ましくは、６０質量％ないし９５質量％である。
【００４２】
１．５．その他の化合物
本実施形態のインクジェット記録用油性インク組成物は、上記の色材、分散剤および芳香族化合物の他に、各種の化合物を含むことができる。
【００４３】
１．５．１．界面活性剤
本実施形態のインクジェット記録用油性インク組成物に使用可能な界面活性剤としては、シリコン系界面活性剤、非イオン性界面活性剤などを例示できる。
【００４４】
本実施形態で使用可能なシリコン系界面活性剤としては、ポリエステル変性シリコーンやポリエーテル変性シリコーンが例示できる。シリコン系界面活性剤の具体例としては、ＢＹＫ−３４７，ＢＹＫ−３４８，ＢＹＫ−ＵＶ３５００，３５１０，３５３０，３５７０（いずれもビック・ケミー株式会社から入手可能。）を挙げることができる。
【００４５】
本実施形態で使用可能な非イオン系界面活性剤としては、ポリオキシエチレン誘導体が挙げられ、たとえば、アセチレングリコール系界面活性剤を用いることができる。本実施形態で使用可能なアセチレングリコール系界面活性剤の具体例としては、サーフィノール１０４，８２，４６５，４８５，サーフィノールＴＧ（いずれもＡｉｒ  Ｐｒｏｄｕｃｔｓ  ａｎｄ  Ｃｈｅｍｉｃａｌｓ  Ｉｎｃ．社の商品名であり、同社から入手可能。）、オルフインＳＴＧ，オルフインＥ１０１０（いずれも日信化学工業株式会社から入手可能。）、ニッサンノニオンＡ−１０Ｒ，Ａ−１３Ｒ（いずれも日本油脂株式会社から入手可能。）、ノイゲンＣＸ−１００（第一工業製薬株式会社から入手可能。）、フローレンＴＧ−７４０Ｗ，Ｄ−９０（共栄社化学株式会社から入手可能。）、エマルゲンＡ−９０，Ａ−６０（花王株式会社から入手可能。）を挙げることができる。
【００４６】
本実施形態で使用するポリオキシエチレン誘導体は、常温常圧下で液体の化合物が好ましい。本実施形態で用いうるポリオキシエチレン誘導体としては、ポリオキシエチレンアルキルエーテル、たとえば、ポリオキシエチレンセチルエーテル（たとえば、ニッサンノニオンＰ−２０８；日本油脂株式会社から入手可能。）、ポリオキシエチレンオレイルエーテル（たとえば、ニッサンノニオンＥ−２０２Ｓ，Ｅ−２０５Ｓ；日本油脂株式会社から入手可能。）、ポリオキシエチレンラウリルエーテル（たとえば、エマルゲン１０６，１０８；花王株式会社から入手可能。）、ポリオキシエチレンアルキルフェノールエーテル（たとえば、ニッサンノニオンＨＳ−２０４．５，ＨＳ−２０６，ＨＳ−２０８；日本油脂株式会社から入手可能。）、ソルビタンモノエステル、たとえば、ソルビタンモノラウレート（たとえば、ニッサンノニオンＬＰ−２０Ｒ；日本油脂株式会社から入手可能。）、ポリオキシエチレンソルビタンモノエステル、たとえば、ポリオキシエチレンソルビタンモノステアレート（たとえば、ニッサンノニオンＯＴ−２２１；日本油脂株式会社から入手可能。）、ポリオキシエチレン高級アルコールエーテル（たとえば、エマルゲン７０７，７０９；花王株式会社から入手可能。）、テトラグリセリンオレート（たとえば、ポエムＪ−４５８１；理研ビタミン株式会社から入手可能。）、ノニルフェノールエトキシエート（たとえば、アデカトールＮＰ−６２０，ＮＰ−６５０，ＮＰ−６６０，ＮＰ−６７５，ＮＰ−６８３，ＮＰ−６８６；株式会社ＡＤＥＫＡから入手可能。）、脂肪族リン酸エステル（たとえば、アデカコールＣＳ−１４１Ｅ，ＴＳ−２３０Ｅ；株式会社ＡＤＥＫＡから入手可能。）、ソルビタンセスキオレート（たとえば、ソルゲン３０；第一工業製薬株式会社から入手可能。）、ポリエチレングリコールソルビタンモノラウレート（たとえば、ソルゲンＴＷ−２０；第一工業製薬株式会社から入手可能。）ポリエチレングリコールソルビタンモノオレート（たとえば、ソルゲンＴＷ−８０；第一工業製薬株式会社から入手可能。）などを挙げることができる。
【００４７】
本実施形態のインクジェット記録用油性インク組成物に上記の界面活性剤を用いる場合、界面活性剤の含有量は、付与すべき再溶解性によって適宜選択することができるが、インク組成物の色材（特には顔料）の含有量１００重量部に対し、好ましくは５ないし２００重量部、より好ましくは３０ないし１２０重量部である。
【００４８】
１．５．２．有機溶媒
本実施形態のインクジェット記録用油性インク組成物は、さらに、有機溶媒を含有することができる。本実施形態で使用可能な有機溶媒としては、好ましくは、極性有機溶媒、たとえば、アルコール類（たとえば、メチルアルコール、エチルアルコール、プロピルアルコール、ブチルアルコール、または、フッ化アルコール等）、ケトン類（たとえば、アセトン、メチルエチルケトン、または、シクロヘキサノン等）、カルボン酸エステル類（たとえば、酢酸メチル、酢酸エチル、酢酸プロピル、酢酸ブチル、プロピオン酸メチル、または、プロピオン酸エチル等）、エーテル類（たとえば、ジエチルエーテル、ジプロピルエーテル、テトラヒドロフラン、または、ジオキサン等）などである。
【００４９】
１．５．３．その他の化合物
本実施形態にかかるインクジェット記録用油性インク組成物は、その他の成分として、公知公用の湿潤剤、浸透溶剤、ｐＨ調整剤、防腐剤、防黴剤等を添加してもよい。さらに、必要に応じて、レベリング添加剤、マット剤、記録物の物性を調整するためのポリエステル系樹脂、ポリウレタン系樹脂、ビニル系樹脂、アクリル系樹脂、ゴム系樹脂、ワックス類を添加することができる。
【００５０】
以上説明した本実施形態にかかるインクジェット記録用油性インク組成物は、前記一般式（１）で示される芳香族化合物を含有している。そのため、記録媒体にインクジェット記録方法によって記録する際のが組成物の浸透速度が大きい。これにより、コート紙、アート紙、およびキャストコート紙などのインク受容層を有する記録媒体に対して塗布した場合において、塗布した組成物のべたつきが抑制され、記録物を指で擦ったときの記録物の汚れを抑制することができる。さらに、本実施形態のインクジェット記録用油性インク組成物による記録物は、臭気が抑えられている。
【００５１】
２．インクジェット記録方法および記録物
本実施形態にかかるインクジェット記録方法は、記録媒体上にインクジェット記録用油性インク組成物を吐出し、記録媒体上に画像を形成するものである。
【００５２】
本実施形態にかかるインクジェット記録方法では、インクジェットプリンタを用いて、記録媒体上にインクジェット記録用油性インク組成物を吐出することができる。インクジェットプリンタは、主にインクジェット式記録ヘッド、本体、トレイ、ヘッド駆動機構、およびキャリッジを備えている。インクジェット式記録ヘッドは、少なくともシアン、マゼンタ、イエロー、ブラックの４色のインクカートリッジを備えており、フルカラー印刷ができるように構成されている。この少なくとも１つのインクカートリッジに、本実施形態にかかるインクジェット記録用油性インク組成物を充填し、設置する。また、このインクジェットプリンタは、内部に専用のコントローラボード等を備えており、インクジェット式記録ヘッドのインクの吐出タイミングおよびヘッド駆動機構の走査を制御することができる。
【００５３】
本実施形態にかかるインクジェット記録方法は、コート紙、アート紙、およびキャストコート紙などのインク受容層を有する記録媒体に、インクジェット記録用油性インク組成物を用いて画像を記録する方法である。本実施形態にかかるインクジェット記録方法は、コート紙、アート紙、およびキャストコート紙などのインク受容層を有する記録媒体への適用において特に優れた効果を発揮することができる。
【００５４】
本実施形態にかかるインクジェット記録方法によって得られる記録物は、上述したインクジェット記録用油性インク組成物を用いて、コート紙、アート紙、およびキャストコート紙などのインク受容層を有する記録媒体に記録されたものであるため、塗布されたインク組成物のべたつきが抑制され、記録物を指で擦ったときの記録物の汚れ、および臭気が抑制されたものである。
【００５５】
３．インクセット
本実施形態にかかるインクセットは、少なくとも１種類の上記インクジェット記録用油性インク組成物を備えたものである。
【００５６】
上記のインクジェット記録用油性インク組成物をそれぞれ単独または複数備えたインクセットとしてもよいし、さらに一または複数の他のインク組成物を備えたインクセットとしてもよい。インクジェット記録用インクセットに備えることができる他のインク組成物としては、シアン、マゼンタ、イエロー、ライトシアン、ライトマゼンタ、ダークイエロー、レッド、グリーン、ブルー、オレンジ、バイオレット等のカラーインク組成物、ブラックインク組成物、ライトブラックインク組成物等が挙げられる。
【００５７】
４．インクカートリッジ
本実施形態にかかるインクカートリッジは、上記のインクセットを備えている。これによれば、上記のインクジェット記録用油性インク組成物を備えたインクセットを容易に運搬することができる。
【００５８】
５．実施例および比較例
実施例を参照して本発明をさらに具体的に説明するが、本発明は、以下の実施例に限定されるものではない。
【００５９】
５．１．実施例１
２Ｌビーカーにドデシルベンゼン（東京化成株式会社製）１０００ｇを入れ、そこに分散剤としてソルスパース２４０００（アビシア株式会社製）５０ｇを添加して、攪拌機（プライミクス社製Ｔ．Ｋ．ロボミックス）で攪拌し均一な液状になるまで溶解した。その溶液にシアン顔料（ＴＧＲ−ＳＤ；大日本インキ化学工業株式会社製）５０ｇを添加し、同じ攪拌機を用い、回転速度１００００ｒｐｍで３０分間攪拌してミルベースを作製した。当該ミルベースを、横型湿式分散機（シンマルエンタープライゼス社製ＤＹＮＯ−ＭＩＬＬ／ＭＵＬＴＩ−ＬＡＢ）を用い、ジルコニアビーズ（φ０．１ｍｍ、充填率８０％）を共存させて周速２０ｍ／ｓｅｃ、液流速２０ｇ／ｍｉｎ、循環運転の条件で１時間の間分散させた。これをメンブレンフィルタ（ロキテクノ社製サートンポアフィルターカートリッジＣＴＡタイプ／目開き１μｍ）でろ過し、実施例１のインクジェット記録用油性インク組成物を得た。
【００６０】
５．２．実施例２
実施例１で用いたドデシルベンゼンを、２−エチルヘキシルベンゼン（東京化成株式会社製）に換え、その他の化合物および製造の条件を同様にして実施例２のインクジェット記録用油性インク組成物を得た。
【００６１】
５．３．比較例１
実施例１で用いたドデシルベンゼンを、ヘキシルベンゼン（東京化成株式会社製）に換え、その他の化合物および製造の条件を同様にして比較例１のインク組成物を得た。
【００６２】
５．４．比較例２
実施例１で用いたドデシルベンゼンを、オクタデカン（東京化成株式会社製）に換え、その他の化合物および製造の条件を同様にして比較例２のインク組成物を得た。
【００６３】
５．５．比較例３
エコソルインク（ローランドＤＧ社製ＥＳＬ３）を比較例３のインク組成物とした。
【００６４】
５．６．記録物の評価
べたつき、汚れ、および臭気の評価は、以下のように行った。まず、セイコーエプソン株式会社製のインクジェットプリンタ（ＰＸ−Ｖ−７８０）のインクカートリッジに上記各実施例および各比較例のインク組成物を充填した。これを用いて、パールコート紙（三菱製紙株式会社製）、およびオーロラコート紙（日本製紙株式会社製）にそれぞれ５ｃｍ×５ｃｍの矩形のベタパターンを記録した。そして、各実施例および各比較例の記録物を、つぎのような指標で評価した。べたつき、汚れの評価は、記録した直後に、指で擦って行い、表１に結果を示した。評価の指標は、べたつきがない物に○、べたつきがある物には×、指にインクが付着しない場合を○、指にインクが付着した場合を×とした。臭気の評価は、記録した直後に、においをかいで行い、表１に結果を示した。評価の指標は、臭気がない場合を○、臭気がある場合を×とした。
【００６５】
上記実施例および比較例の結果の参考にするために、記録物の反りの評価を行った。記録物の反りの評価は、上述のプリンタを用い、ＮＰＩ上質紙（日本製紙株式会社製）に各実施例および各比較例のインク組成物を用いて１５ｃｍ×２５ｃｍの矩形のベタパターンを記録して、記録した後の紙のカール（反り）の有無を調べた。反りが無い場合を○、反りがある場合を×として、表１に結果を記した。
【００６６】
【表１】
2009227757.tif 000004
【００６７】
表１に見られるように、各実施例のインクジェット記録用油性インク組成物は、比較例のインク組成物と比べて、べたつきが少なく、汚れを生じず、かつ臭気を生じない点において優れていた。この結果から、本発明にかかるインクジェット記録用油性インク組成物は、コート紙、アート紙、およびキャストコート紙などのインク受容層を有する記録媒体への浸透速度が大きく、かつ記録後の記録媒体の臭気を抑制することができるものであることが判明した。なお、参考までに各実施例のインク組成物をインク受容層を有さない紙に対して塗布した結果、実施例の記録物には、カールが生じないことも判明した。
【００６８】
本発明は、上述した実施形態に限定されるものではなく、さらに種々の変形が可能である。たとえば、本発明は、実施形態で説明した構成と実質的に同一の構成（たとえば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。